(57)【要約】      （修正有）【課題】ばねの弾性損失を防止し、生産効率を向上し、コストを軽減する一方向軸受の構造を提供する。【解決手段】内輪１１と、外輪１２で構成され、外輪１２の内径に、等距離複数のころ１３とばね１４の収納空間１５を設け、収納空間１５に第１室５０と第２室６０を有する。第１室５０には、前壁面と、第２室６０へ斜め下向けの底壁面と、底壁面の一定距離から第２室６０まで、上向けの高堤を備え、高堤のあとは第２室６０と連接する。第２室６０は、凹設の空間であり、前壁面と対向する内壁と、内壁から凸設の凸縁からなる。【選択図】図３
0003156346.tif 000002
【実用新案登録請求の範囲】
【請求項１】
一方向軸受であって、その構造は、内輪と、外輪で構成され、外輪の内径に、等距離複数のころとばねの収納空間を設け、収納空間に第１室と第２室を有し、第１室には、前壁面と、第２室へ斜め下向けの底壁面と、底壁面の一定距離から第２室まで、上向けの高堤を備え、高堤のあとは第２室と連接、第２室は、凹設の空間であり、前壁面と対向する内壁と、内壁から凸設の凸縁でなり、ばねが第２室に設け、ころを第１室の前壁面と内輪へ押さえ付けて、動作の方向は、第２室に向かったときに、ごろは、後退して、高堤に止め、ばねへの圧迫を阻却され、ばねが一定の正常弾性を保持できることを特徴とする一方向軸受。
【考案の詳細な説明】
【技術分野】
【０００１】
この考案は一方向軸受（或いは一方向クラッチ）に発生されたばねの弾性損失を防止する一方向軸受の構造改善ことに関する。
【背景技術】
【０００２】
図１に、従来の一方向軸受より構造の説明図である。図面によれば、一方向軸受１０は、外輪１２の内径に複数の収納空間２０を設け、収納空間２０には、壁面２１，２２，２３を有し、第１壁面２１と第２壁面２２は対向側におり、第３壁面２３が内輪１１に向かって、第１壁面２１と第３壁面２３の間に、傾斜壁面２４を有し、ばねの１端が、第２壁面２２に当たって、別の１端が、ころ１３に当たって、押さえ、第１壁面２１と、傾斜壁面２４と、内輪１１の外壁に押さえ付け、内輪１１の中空位置に、工作軸３０を入れて、なお、外輪１２が、工作物４０の中空位置に入れても行ける、工作軸３０が、第１壁面２１への方向に回転とすれば、内輪１１ところ１３が接触して、ころ１３を、ばねとともに、第１壁面へ圧迫し、転がれなくなり、工作軸３０の回転も阻却され、工作軸３０が、反対方向に回転すれば、ころ１３には、収納空間２０が生じ活動できて、後ろ引けで、内輪１１との接触を脱出し、工作軸３０が回転自在となるので、ころ１３の収納空間２０の位置の変更と、内輪１１への作動で、一方向回転の制御を行う。
しかしながら、図２にしめされたように、ころ１３が、内輪１１の作動で、ばね１４を圧迫するとなり、長時間に経ったら、ばね１４が弾性損失を発生するゆえ、ころ１３を第１壁面２１への押さえ作用がなくなり、設定の一方向軸受機能を失うこととなる。
【考案の開示】
【考案が解決しようとする課題】
【０００３】
前述従来の一方向軸受は、ばねが弾性損失を発生するゆえ、ころを壁面への押さえ作用がなくなり、設定の一方向軸受機能を失うこととなる。
だから、一方向軸受の使用寿命も縮まれ、生産効率低減とコスト増加するようになる。
この考案は、以上の問題を解決し、発生し易いばねの弾性損失を防止するに使用する一方向軸受の構造を提供することを課題とする。
【課題を解決するための手段】
【０００４】
そこで、本考案者は従来の技術に見られる欠点に鑑み鋭意研究を重ねた結果、一方向軸受の構造は、収納空間には、ころの活動空間を提供した第１室と、ばねの活動空間を提供した第２室を有し、第１室には、前壁面と、第２室へ斜め下向けの底壁面と、底壁面の一定距離から第２室まで、上向けの高堤を備え、高堤のあとは第２室となる。
第２室には、凹設の空間であり、前壁面と対向する内壁と、内壁から凸設の凸縁でなり、凸縁がばねを第２室にの活動を安定する。
工作軸が、前壁面への方向に回転とすれば、内輪ところが接触して、ころを、ばねとともに、第１壁面へ圧迫し、転がれなくなり、工作軸の回転も阻却され、工作軸が、反対方向に回転とすれば、ころは、後ろ引けで、ばねを圧迫して、第２室の前に、高堤を有し、ころが底壁面を沿って後退して、ばねを圧迫の途上で、高堤に止められ、ばねへの圧迫も阻却され、ばねは、第２室に保護されて、弾性損失を防止することができるとなる。
【考案の効果】
【０００５】
この考案によれば、一方向軸受は、ばねが弾性損失を発生することを有効に阻止されたゆえ、一方向軸受の使用寿命を延長できる、生産効率向上とコスト軽減することができる。
【実施例】
【０００６】
図３に、この考案の一方向軸受の実施例より構造の説明図を開示する。図面によれば、この考案による一方向軸受１０は、従来の一方向軸受と同様に、内輪１１と、外輪１２と、内輪１２の内径に設けた収納空間１５と、ころ１３と、ばね１４を具備し、その特徴は、図４の単一収納構成の説明図にしめされたように、収納空間１５には、ころ１３の活動空間を提供した第１室５０と、ばね１４の活動空間を提供した第２室６０を有し、第１室５０には、前壁面５１と、第２室へ斜め下向けの底壁面５３と、底壁面５３の一定距離から第２室まで、上向けの高堤５２を備え、高堤５２のあとは第２室となる。
第２室には、凹設の空間であり、前壁面５１と対向する内壁６１と、内壁６１から凸設の凸縁６２でなり、凸縁６２がばね１４を第２室にの活動を安定する。
工作軸３０が、前壁面５１への方向に回転とすれば、内輪１１ところ１３が接触して、ころ１３を、ばねとともに、第１壁面へ圧迫し、転がれなくなり、工作軸３０の回転も阻却され、工作軸３０が、反対方向に回転とすれば、ころ１３は、後ろ引けで、ばね１４を圧迫して、図５，６にしめされたように、第２室の前に、高堤５２を有し、ころ１３が底壁面５３を沿って後退して、ばね１４を圧迫の途上で、高堤５２に止められ、ばね１４への圧迫も阻却され、ばね１４は、第２室に保護されて、弾性損失を防止することができる。
【図面の簡単な説明】
【０００７】
【図１】従来の一方向軸受の説明図である。
【図２】従来の一方向軸受の作動説明図である。
【図３】この考案の実施例の説明図である。
【図４】この考案の単一収納構成の実施例の説明図である。
【図５】この考案の実施例のころがばねを圧迫するの説明図である。
【図６】図５の単一収納構成の作動の説明図である。
【符号の説明】
【０００８】
１０       一方向軸受
１１       内輪
１２       外輪
１３       ころ
１４       ばね
１５       収納空間
２０       収納空間
２１       第１壁面
２２       第２壁面
２３       第３壁面
２４       傾斜壁面
３０       工作軸
４０       工作物
５０       第１室
５１       前壁面
５２       高堤
５３       底壁面
６０       第２室
６１       内壁
６２       凸縁
【図１】
0003156346.tif 000003
【図２】
0003156346.tif 000004
【図３】
0003156346.tif 000005
【図４】
0003156346.tif 000006
【図５】
0003156346.tif 000007
【図６】
0003156346.tif 000008